(57)【要約】      （修正有）【課題】電極体のセパレータに接合部を設けた蓄電素子において、容器内への電解液の注液効率を向上させた蓄電素子を提供する。【解決手段】電極体８は正極シートの端部を包むようにセパレータを接合した接合部を備える。電極体注液口２９Ａは、電極体８の接合部と反対側の端部２６ｂと対向しないように、容器本体３の長側壁６ａに設けられている。【選択図】図１
2015135734.tif 000002
【特許請求の範囲】
【請求項１】
正極金属箔に正極活物質層を設けた正極シートと、負極金属箔に負極活物質層を設けた負極シートと、第１及び第２のセパレータとを、前記正極シートと前記負極シートとの間に前記第１又は第２のセパレータが介在するように積層してなり、前記正極シート又は前記負極シートを前記第１及び第２のセパレータで包むように前記第１のセパレータと前記第２のセパレータとを接合した接合部と、前記第１のセパレータと前記第２のセパレータとを接合しない非接合部とを備える電極体と、
前記電極体が収容される内部空間を画定する周壁を備える容器と、
前記非接合部と対向する位置以外の前記容器の前記周壁に設けられた、前記内部空間に電解液を注液するための注液口と
を備える蓄電素子。
【請求項２】
前記電極体は、前記正極シートと前記負極シートとの間に前記第１又は第２のセパレータが介在するように重ね合わせて巻回軸回りに巻回してなり、
前記接合部は、前記電極体の前記巻回軸が延びる方向の一方の端部に設けられ、
前記注液口は、前記接合部に対して前記巻回軸が延びる方向の反対側の前記電極体の端部と対向する位置以外の前記容器の前記周壁に設けられている、請求項１に記載の蓄電素子。
【請求項３】
前記電極体の側部は、前記巻回軸を挟んで対向して配置されて前記巻回軸に沿って延びる一対の平坦部と、前記平坦部を連結する一対の湾曲部とを備え、
前記容器の前記周壁は、前記一対の平坦部と対向する一対の第１壁部と、前記一対の湾曲部と対向する一対の第２壁部と、前記電極体の前記巻回軸が延びる方向の一対の前記端部と対向する一対の第３壁部とを備え、
前記注液口は、前記電極体の湾曲部と前記第１壁部の内面との間に連通するように、前記第１壁部に設けられている、請求項２に記載の蓄電素子。
【請求項４】
前記電極体の側部は、前記巻回軸を挟んで対向して配置されて前記巻回軸に沿って延びる一対の平坦部と、前記平坦部を連結する一対の湾曲部とを備え、
前記容器の前記周壁は、前記一対の平坦部と対向する一対の第１壁部と、前記一対の湾曲部と対向する一対の第２壁部と、前記電極体の前記巻回軸が延びる方向の一対の前記端部と対向する一対の第３壁部とを備え、
前記注液口は、前記電極体の前記巻回軸が延びる方向の前記一対の端部のうち前記接合部とは反対側の前記端部に対向する前記第３壁部に設けられている、請求項２に記載の蓄電素子。
【発明の詳細な説明】
【技術分野】
【０００１】
本発明は、非水電解質二次電池を含む電池及びキャパシタのような蓄電素子に関する。
【背景技術】
【０００２】
非水電解質二次電池を含む電池及びキャパシタのような蓄電素子は、容器と、容器内に収容された電極体と、容器内に充填された電解液を備える。電極体には、いずれも帯状である正極シート、負極シート、及び２枚のセパレータを重ね合わせて巻回した構造のものがある。正極シート及び負極シートの両面には活物質層が設けられ、幅方向の一端には活物質層が形成されず金属箔が露出するリードが設けられている。正極シートと負極シートとの間にはセパレータが介在している。リードはセパレータの幅方向の両端のいずれか一方から突出している。
【０００３】
特許文献１に開示された二次電池が備える電極体は、正極シート及び／又は負極シートのリードとは反対側の幅方向の一端に、２枚のセパレータを接合した接合部を備える。接合部は、例えば巻回時に２枚のセパレータをヒートローラで熱融着することで形成される。接合部を設けることで、正極シート及び／又は負極シートのリードとは反対側の一端が２枚のセパレータで包まれ、この部分への異物の接触が防止される。異物には、例えば正極シート及び／又は負極シートのリードを集電体に超音波溶接する際に発生した金属片がある。
【先行技術文献】
【特許文献】
【０００４】
【特許文献１】特開２０１１−２１６３９９号公報
【発明の概要】
【発明が解決しようとする課題】
【０００５】
特許文献１に記載されたものを含め、従来の蓄電素子では、電極体のセパレータに接合部を設けた場合の容器内への電解液の注液効率について、十分な検討はなされていない。
【０００６】
本発明は、電極体のセパレータに接合部を設けた場合の容器内への電解液の注液効率向上に関する。
【課題を解決するための手段】
【０００７】
本発明は、正極金属箔に正極活物質層を設けた正極シートと、負極金属箔に負極活物質層を設けた負極シートと、第１及び第２のセパレータとを、前記正極シートと前記負極シートとの間に前記第１又は第２のセパレータが介在するように積層してなり、前記正極シート又は前記負極シートを前記第１及び第２のセパレータで包むように前記第１のセパレータと前記第２のセパレータとを接合した接合部と、前記第１のセパレータと前記第２のセパレータとを接合しない非接合部とを備える電極体と、前記電極体が収容される内部空間を画定する周壁を備える容器と、前記非接合部と対向する位置以外の前記容器の前記周壁に設けられた、前記内部空間に電解液を注液するための注液口とを備える蓄電素子を提供する。
【０００８】
例えば、前記電極体は、前記正極シートと前記負極シートとの間に前記第１又は第２のセパレータが介在するように重ね合わせて巻回軸回りに巻回してなり、前記接合部は、前記電極体の前記巻回軸が延びる方向の一方の端部に設けられ、前記注液口は、前記接合部に対して前記巻回軸が延びる方向の反対側の前記電極体の端部と対向する位置以外の前記容器の前記周壁に設けられている。
【０００９】
具体的には、前記電極体の側部は、前記巻回軸を挟んで対向して配置されて前記巻回軸に沿って延びる一対の平坦部と、前記平坦部を連結する一対の湾曲部とを備え、前記容器の前記周壁は、前記一対の平坦部と対向する一対の第１壁部と、前記一対の湾曲部と対向する一対の第２壁部と、前記電極体の前記巻回軸が延びる方向の一対の前記端部と対向する一対の第３壁部とを備え、前記注液口は、前記電極体の湾曲部と前記第１壁部の内面との間に連通するように、前記第１壁部に設けられている。
【００１０】
代案としては、前記電極体の側部は、前記巻回軸を挟んで対向して配置されて前記巻回軸に沿って延びる一対の平坦部と、前記平坦部を連結する一対の湾曲部とを備え、前記容器の前記周壁は、前記一対の平坦部と対向する一対の第１壁部と、前記一対の湾曲部と対向する一対の第２壁部と、前記電極体の前記巻回軸が延びる方向の一対の前記端部と対向する一対の第３壁部とを備え、前記注液口は、前記電極体の前記巻回軸が延びる方向の前記一対の端部のうち前記接合部とは反対側の前記端部に対向する前記第３壁部に設けられている。
【発明の効果】
【００１１】
注液口は非接合部と対向する位置以外の容器の周壁に設けられている。そのため、注液口から容器内の内部空間に注液された電解液は、まず電極体と容器の周壁との間に画定される隙間（流動抵抗が相対的に小さい）へ流入し、内部空間内に電解液が溜まっていく。内部空間内に溜まった電解液量が増加した後に、非接合部から電極体を構成する正極及び負極シートの間（流動抵抗が相対的に大きい）に電解液が浸透する。その結果、注液口から容器内の内部空間への電解液の注液効率が向上する。
【図面の簡単な説明】
【００１２】
【図１】本発明の第１実施形態に係る非水電解質二次電池の分解斜視図。
【図２】図１の非水電解質二次電池の断面図。
【図３】図２のIII-III線での断面図。
【図４】図１のIV-IV線での電極体の模式的な断面図。
【図５】電極体の製造装置の模式図。
【図６】熱融着部の模式図。
【図７】本発明の第２実施形態に係る非水電解質二次電池の分解斜視図。
【図８】図７の非水電解質二次電池の断面図。
【図９】図８のIX-IX線での断面図。
【発明を実施するための形態】
【００１３】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００１４】
（第１実施形態）
図１から図３は本発明の第１実施形態に係る非水電解質二次電池（以下、単に電池という）１を示す。電池１の容器２は、上端に開口２ａを有する容器本体３と、容器本体３の開口２ａを閉鎖する蓋体（第２壁部）４とを備える。
【００１５】
本実施形態における容器本体３は、全体として概ね扁平な直方体状である。容器本体３は、蓋体４と概ね同一の形状及び寸法を有する細長い長方形状の底壁（第２壁部）５を備える。また、容器本体３は底壁５の周縁から立ち上がる周壁６を備える。周壁６は、底壁５の長辺から立ち上がる互いに対向する一対の長側壁（第１壁部）６ａ，６ｂと、底壁５の短辺から立ち上がる互いに対向する一対の短側壁（第３壁部）６ｃ，６ｄを備える。長側壁６ａ，６ｂと短側壁６ｃ，６ｄの上端により容器本体３の開口２ａが形成されている。開口２ａは、蓋体４を長側壁６ａ，６ｂと短側壁６ｃ，６ｄの上端に溶接することで閉じられている。
【００１６】
容器２の内部（内部空間７）には、電極体８が収容されている。電極体８は後に詳述する正極及び負極リード９Ａ，９Ｂを備え、これらのリード９Ａ，９Ｂは、それぞれ正極及び負極の集電体１０Ａ，１０Ｂの脚部１０ａに電気的に接続されている。正極及び負極の集電体１０Ａ，１０Ｂは、蓋体４から外部に突出するボルト状の接続部１１ａを有する正極及び負極の外部端子１１Ａ，１１Ｂにそれぞれ電気的に接続されている。集電体１０Ａ，１０Ｂと蓋体４の下面との間に下パッキン１３が介装され、外部端子１１Ａ，１１Ｂと蓋体４の上面との間には上パッキン１２が介装されている。
【００１７】
図４を併せて参照すると、電極体８は、いずれも一定幅の長尺な帯状である正極シート１５、負極シート１６、及び微多孔性樹脂シートからなる２枚のセパレータ１７，１８を重ね合わせ、高扁平率の楕円筒状に巻回したものである。正極シート１５、負極シート１６、及び２枚のセパレータ１７，１８の巻回の軸線（巻回軸）は図において符号Ｌで概念的に示されている。正極シート１５の一つの層と、それに隣接する負極シート１６の一つの層との間には、２枚のセパレータ１７，１８のうちの一方が介在している。
【００１８】
正極シート１５は、帯状の正極金属箔１９と、この正極金属箔１９の両面に形成された正極活物質層２１とを備える。正極シート１５の幅方向の一方（図４において右側）の端部１５ａでは、正極活物質層２１が正極金属箔１９の側縁まで設けられている。正極シート１５の幅方向の他方（図４において左側）の端部１５ｂには、正極活物質層２１を設けずに正極金属箔１９を露出させた正極リード９Ａが設けられている。
【００１９】
負極シート１６は帯状の負極金属箔２２と、この負極金属箔２２の両面に形成された負極活物質層２３とを備える。負極シート１６の幅方向の一方側（図４において左側）の端部１６ｂでは、負極活物質層２３が負極金属箔２２の側縁まで設けられているが、負極シート１６の幅方向の他方（図４において右側）の端部１６ａには、負極活物質層２３を設けずに負極金属箔２２を露出させた負極リード９Ｂが設けられている。
【００２０】
２枚のセパレータ１７，１８は、幅方向の一方の端部１７ａ，１８ａ（図４において右側の端部）の位置と、他方の端部１７ｂ，１８ｂ（図４において左側の端部）の位置とが、いずれも揃えられている。正極シート１５と負極シート１６は、正極リード９Ａと負極リード９Ｂが２枚のセパレータ１７，１８の幅方向の端部１７ａ〜１８ｂの一方から突出するように、セパレータ１７，１８に対して幅方向の位置をずらしている。正極シート１５については、正極リード９Ａを設けた端部１５ｂがセパレータ１７，１８の図４において左側の端部１７ｂ，１８ｂから突出し、正極リード９Ａとは反対側の端部１５ａはセパレータ１７，１８の図４において右側の端部１７ａ，１８ａよりも幅方向の内側に位置している。負極シート１６については、負極リード９Ｂを設けた端部１６ａがセパレータ１７，１８の図４において右側の端部１７ａ，１８ａから突出し、負極リード９Ｂとは反対側の端部１６ｂはセパレータ１７，１８の図４において左側の端部１７ｂ，１８ｂよりも幅方向の内側に位置している。
【００２１】
図１に示すように、セパレータ１７，１８から突出する正極リード９Ａと負極リード９Ｂはクリップ２４を介して集電体１０Ａ，１０Ｂの脚部１０ａに接続されている。例えば、リード９Ａ，９Ｂとクリップ２４が超音波溶接され、クリップ２４と集電体１０Ａ，１０Ｂの脚部１０ａが超音波溶接される。
【００２２】
セパレータ１７，１８の一方（図４において右側）の端部１７ａ，１８ａでは、これらのセパレータ１７，１８を互いに接合した接合部２５を設けている。接合部２５は、概ね一定の幅Ｗ１（図６参照）で正極及び負極シート１５，１６とセパレータ１７，１８の巻回方向（セパレータ１７，１８の長手方向）に連続して設けられている。本実施形態では、２枚のセパレータ１７，１８を熱融着することで接合部２５を形成している。２枚のセパレータ１７，１８を機械的に圧着することでも接合部２５を形成できる。超音波溶着、及びテープによる溶着を含むその他の方法によっても接合部２５を形成できる。接合部２５を設けたことで、正極シート１５の端部１５ａ（正極リード９Ａとは反対側の端部）はセパレータ１７，１８で包まれている。
【００２３】
正極シート１５の端部１５ａをセパレータ１７，１８で包むことで、この部分への異物の接触が防止される。異物には、例えば負極シート１６の負極リード９Ｂをクリップ２４に超音波溶接する際に発生する金属片がある。正極シート１５の正極金属箔１９がアルミニウム製で負極シート１６の負極金属箔２２が銅製の場合がある。負極シート１６の負極リード９Ｂ、つまり負極金属箔２２をクリップ２４に超音波溶接する際に銅片が発生し、この銅片が正極シート１５と接触すると、銅片が電気化学的に溶解し、イオンとなった銅が負極シート１６上に到達すると、負極シート１６上に銅が析出し、析出した銅がセパレータを突き破って正極と通電して微小な電流が流れ、電池電圧が低下する。セパレータ１７，１８の接合部２５を設けてアルミニウム製の正極金属箔１９を備える正極シート１５を覆うことで、銅片が正極シート１５に接触して電気化学的に溶解することを防止できる。
【００２４】
図１及び図３に最も明瞭に表れているように、楕円筒状である電極体８の外形は、巻回軸Ｌが延びる方向に対向する端部２６ａ，２６ｂと、側部２７を備える。側部２７は、巻回軸Ｌを挟んで対向して配置されて巻回軸Ｌに沿って延びる一対の平坦部２７ａ，２７ｂと、平坦部２７ａ，２７ｂを連結する一対の湾曲部２７ｃ，２７ｄを備える。電極体８は湾曲部２７ｃ，２７ｄが上下方向に対向する姿勢で容器２の内部空間７に収容されている。具体的には、容器本体３の周壁６のうち長側壁６ａ，６ｂが電極体８の平坦部２７ａ，２７ｂと対向する。また、容器本体３の周壁６のうち短側壁６ｃ，６ｄが電極体８の端部２６ａ，２６ｂと対向する。さらに、蓋体４が湾曲部２７ｄと対向し、容器本体３の底壁５が湾曲部２７ｃと対向する。
【００２５】
容器本体３の周壁６のうち長側壁６ａに、容器２の内部空間７に電解液２８を注液するための注液口２９Ａが設けられている。注液口２９Ａは長側壁６ａを厚み方向に貫通するように設けられている。図３に最も明瞭に示すように、注液口２９Ａは、電極体８の湾曲部２７ｃと蓋体４の内面との間の隙間に連通するように長側壁６ａの上端付近、言い換えれば長側壁６ａの蓋体４側（底壁５とは反対側）に配置されている。さらに言い換えれば、注液口２９Ａはセパレータ１７，１８が接合されていない非接合部（電極体８の端部２６ｂ）と対向する位置以外の容器本体３の周壁６に設けられている。この位置に設けられた注液口２９Ａは、電極体８の接合部２５が設けられた端部２６ａと反対側の端部２６ｂと対向していない。後に詳述するように、注液口２９Ａをこの位置に配置することで、注液口２９Ａから容器２の内部空間７への電解液２８の注液効率を向上させることができる。
【００２６】
次に、この電池１の製造方法について説明する。
【００２７】
図５は電極体８の製造装置３０の概念的な模式図である。製造装置３０は、４個の供給ボビン３１〜３４を備える。供給ボビン３１，３２には、正極シート１５と負極シート１６がそれぞれコイル状に巻き付けられている。また、供給ボビン３３，３４には、セパレータ１７，１８がそれぞれコイル状に巻き付けられている。供給ボビン３１〜３４から巻き出された正極シート１５、負極シート１６、及び２枚のセパレータ１７，１８は、互いに重ね合わせられた状態で、巻回軸Ｌ回りに回転する巻枠３５によって巻き取られる。巻枠３５に巻き取られることで、重ね合わせた正極シート１５、負極シート１６、及び２枚のセパレータ１７，１８を多数回巻回した楕円筒状の電極体８が得られる。
【００２８】
製造装置３０は熱融着部３６を備える。図６を併せて参照すると、熱融着部３６では供給ボビン３３，３４から巻き出された２枚のセパレータ１７，１８が重ね合わせされ、これらの間に供給ボビン３１から巻き出された正極シート１５が配置されている。正極シート１５の正極リード９Ａ側の端部１５ｂは、セパレータ１７，１８の端部１７ｂ，１８ｂから突出している。一方、正極シート１５の正極リード９Ａとは反対側の端部１５ａは、セパレータ１７，１８の端部１７ａ，１８ａよりも幅方向の内側に位置している。熱融着部３６は、端部１７ａ，１８ａでセパレータ１７，１８を挟み込む一対のヒートローラ３７Ａ，３７Ｂと、端部１７ｂ，１８ｂ付近でセパレータ１７，１８と正極シート１５を挟み込む送りローラ３８Ａ，３８Ｂを備える。ヒートローラ３７Ａ，３７Ｂと送りローラ３８Ａ，３８Ｂは、巻枠３５に向けてセパレータ１７，１８と正極シート１５を送る方向に回転する。熱融着部３６を通過して接合部２５が形成されたセパレータ１７，１８と正極シート１５に供給ボビン３２から巻き出された負極シート１６が重ね合わせされ、巻枠３５で巻き取られる。接合部２５は熱融着ではなく、超音波溶着、機械的な圧着、及びテープによる接着を含むその他の方法によっても形成できる。
【００２９】
電極体８の正極及び負極リード９Ａ，９Ｂは、外部端子１１Ａ，１１Ｂ、上パッキン１２、及び下パッキン１３と共に蓋体４に装着された正負の集電体１０Ａ，１０Ｂの脚部１０ａに接続される。その後、電極体８が容器本体３内に収容されるように、容器本体３の開口２ａに蓋体４を装着する。さらに、蓋体４を容器本体３の周壁６に対して溶接により固定する。
【００３０】
続いて、容器２の内部空間７に電解液２８を注液する。具体的には、容器２の内部空間７を予め減圧（真空引き）しておき、注液口２９Ａに電解液２８の供給口（図示せず）を密着させる。電解液２８は内部空間７（真空状態）と大気圧との圧力差によって注液口２９Ａから内部空間７へ噴射され、それによって電解液２８が内部空間７に注液される。電解液２８の注液完了後、例えば注液口２９Ａを塞ぐように配置した封止部材を周壁６の長側壁６ａに溶接することで、注液口２９Ａを封口する。
【００３１】
前述のように、注液口２９Ａは、電極体８の湾曲部２７ｃと蓋体４の内面との間の隙間に連通するように長側壁６ａの上端付近に配置され、電極体８の接合部２５が設けられた端部２６ａと反対側の端部２６ｂと対向していない。そのため、注液口２９Ａから容器２内の内部空間７に注液された電解液２８は概ね以下の傾向で流れる。まず、電解液２８は、電極体８の平坦部２７ａ，２７ｂと容器本体３の長側壁６ａ，６ｂの間の隙間を通って電極体８の湾曲部２７ｃと容器本体３の底壁５との間の隙間へ向かう（図１の矢印Ａ１参照）。注液量の増加に伴い、電極体８の平坦部２７ａ，２７ｂと容器本体３の長側壁６ａ，６ｂの間の隙間にも電解液２８が進入し電解液２８の液位が上昇する。電解液２８の液位上昇に伴い、電極体８の平坦部２７ａ，２７ｂと容器本体３の長側壁６ａ，６ｂの間の隙間を介して、電極体８の接合部２５が設けられた端部２６ａと反対側の端部２６ｂに向かう（図１の矢印Ａ２参照）。電極体８の端部２６ｂ（セパレータ１７，１８の接合部が設けられていない非接合部）に到達した電解液２８は、電極体８を構成する正極シート１５、負極シート１６、及びセパレータ１７，１８の隙間に浸透する。
【００３２】
以上のように、注液口２９Ａに注液された電解液２８は、電極体８と容器本体３の周壁６との間に画定される隙間（流動抵抗が相対的に小さい）へ流入し、内部空間７内に電解液が溜まっていく。そして、内部空間７内に溜まった電解液量が増加した後に、接合部２５とは反対側の端部２６ｂ（非接合部）から電極体８を構成する正極シート１５、負極シート１６、及びセパレータ１７，１８の隙間（流動抵抗が相対的に大きい）に浸透する。つまり、まず電解液は流動抵抗が相対的に小さい隙間に流入後に、電極体８内に浸透する。そのため、注液口２９Ａから容器２内の内部空間７への電解液２８の注液効率が向上する。
【００３３】
（第２実施形態）
図７から図９は本発明の第２実施形態に係る電池１を示す。本実施形態では、注液口２９Ｂは、電極体８の一対の端部２６ａ，２６ｂのうち接合部２５側の端部２６ａと対向する短側壁６ｃに設けられている。つまり、注液口２９Ａは、電極体８の接合部２５とは反対側の端部２６ｂと対向しない位置に設けられている。言い換えれば、注液口２９Ａはセパレータ１７，１８が接合されていない非接合部（電極体８の端部２６ｂ）と対向する位置以外の容器本体３の周壁６に設けられている。
【００３４】
注液口２９Ｂから容器２内の内部空間７に注液された電解液２８は概ね以下の傾向で流れる。まず、電解液２８は、電極体８の接合部２５側の端部２６ａと容器本体３の短側壁６ｃとの間の隙間を通って、電極体８の湾曲部２７ｃと容器本体３の底壁５との間の隙間へ向かう（図７の矢印Ａ３参照）。続いて、電解液２８は電極体８の湾曲部２７ｃと容器本体３の底壁５との間の隙間から電極体８の接合部２５とは反対側の端部２６ｂと容器本体３の短側壁６ｄとの間の隙間へ向かう（図７の矢印Ａ４参照）。電極体８の端部２６ｂ（セパレータ１７，１８の接合部が設けられていない非接合部）に到達した電解液２８は、電極体８を構成する正極シート１５、負極シート１６、及びセパレータ１７，１８の隙間に浸透する。
【００３５】
以上のように、注液口２９Ｂから注液された電解液２８は、電極体８と容器本体３の周壁６との間に画定される隙間（流動抵抗が相対的に小さい）へ流入し、内部空間７内に電解液が溜まっていく。そして、内部空間７内に溜まった電解液量が増加した後に、接合部２５とは反対側の端部２６ｂ（非接合部）から電極体８を構成する正極シート１５、負極シート１６、及びセパレータ１７，１８の隙間（流動抵抗が相対的に大きい）に浸透する。つまり、まず電解液は流動抵抗が相対的に小さい隙間に流入後に、電極体８内に浸透する。そのため、注液口２９Ｂから容器２内の内部空間７への電解液２８の注液効率が向上する。
【００３６】
第２実施形態のその他の構成及び作用は第１実施形態と同様である。
【００３７】
前述の実施形態はあらゆる点で単なる例示に過ぎず、限定的に解釈してはならない。例えば、注液口を複数個設けてもよい。また、接合部は負極シートを覆うように設けてもよい。本発明は、実施形態のようないわゆる巻回型の蓄電素子に限定されない。例えば、複数の平板状の正極シートと、複数の平板状の負極シートとを、平板状のセパレータを介在させて積層した蓄電素子（いわゆる積層型の蓄電素子）にも、本発明を適用できる。この場合、セパレータが接合されていない非接合部と対向する位置以外の容器の周壁に、注液口が形成される。さらに、非水電解質二次電池を例に本発明を説明したが、同様又は類似の構造の電極体を備える他の電池及びキャパシタに本発明を適用できる。
【符号の説明】
【００３８】
１  非水電解質二次電池
２  容器
２ａ  開口
３  容器本体
４  蓋体
５  底壁
６  周壁
６ａ，６ｂ  長側壁
６ｃ，６ｄ  短側壁
７  内部空間
８  電極体
９Ａ  正極リード
９Ｂ  負極リード
１０Ａ，１０Ｂ  集電体
１０ａ  脚部
１１Ａ，１１Ｂ  外部端子
１１ａ  接続部
１２  上パッキン
１３  下パッキン
１５  正極シート
１５ａ，１５ｂ  端部
１６  負極シート
１６ａ，１６ｂ  端部
１７，１８  セパレータ
１７ａ，１７ｂ  端部
１８ａ，１８ｂ  端部
１９  正極金属箔
２１  正極活物質層
２２  負極金属箔
２３  負極活物質層
２４  クリップ
２５  接合部
２６ａ，２６ｂ  端部
２７  側部
２７ａ，２７ｂ  平坦部
２７ｃ，２７ｄ  湾曲部
２８  電解液
２９Ａ，２９Ｂ  注液口
３０  製造装置
３１，３２，３３，３４  供給ボビン
３５  巻枠
３６  熱融着部
３７Ａ，３７Ｂ  ヒートローラ
３８Ａ，３８Ｂ  送りローラ
Ｌ  巻回軸
【図１】
2015135734.tif 000003
【図２】
2015135734.tif 000004
【図３】
2015135734.tif 000005
【図４】
2015135734.tif 000006
【図５】
2015135734.tif 000007
【図６】
2015135734.tif 000008
【図７】
2015135734.tif 000009
【図８】
2015135734.tif 000010
【図９】
2015135734.tif 000011